(57)【要約】【課題】ネジ溝の大きさが異なるネジに確実に嵌合させ締緩作業を向上させることができるプラスドライバーを提供する。【解決手段】プラスドライバー１は、先端側に大径嵌合部４と小径嵌合部５とを備えている。小さいネジ溝を有するネジを締緩する際は小径嵌合部５を用い、小径嵌合部５が大径嵌合部４先端から突出したロック状態で作業する。ロック状態では、ロックピン６の係合爪６２とシャフト１０の係合片１５とがロックばね６５及び軸ばね５０の付勢力により係合し、小径嵌合部５の大径嵌合部４先端からの突出状態が維持される。大きいネジ溝のネジを締緩する際は大径嵌合部４を用い、ロックピン６の解除ボタン６１を押し込み係合爪６２と係合片１５の係合状態を解除させる。軸ばね５０の付勢力によりシャフト１０及び摺動軸３０が上方へ摺動し、小径嵌合部５が大径嵌合部４内の収容空間７０に収容される。【選択図】図５
2014014887.tif 000002
【特許請求の範囲】
【請求項１】
ネジ頭部に形成された十字溝からなるネジ溝に嵌合する嵌合部を先端側に有し、後端側に操作部を有するプラスドライバーにおいて、
該嵌合部は、大径嵌合部と、該大径嵌合部とは別体にかつ同心状にかつ回転一体に設けられ、該大径嵌合部よりも小径の小径嵌合部とからなり、大径及び小径嵌合部はそれぞれ先端に平面視で十字形状をなす４枚の嵌合片を有しており、
該大径嵌合部の該嵌合片及び該小径嵌合部の該嵌合片は、それぞれ該プラスドライバーの先端側に向かうほど軸中心からの距離が小さくなっており、
該大径嵌合部は、該大径嵌合部と一体に形成された連結部によって操作部に連結されており、
該大径嵌合部及び該連結部の中心部には、少なくとも先端が開口した収容空間が設けられ、
該小径嵌合部には軸部が一体に形成されており、
該大径嵌合部の該収容空間には、該小径嵌合部及び該軸部が摺動可能に配設されており、
該軸部を軸方向後端側に摺動させることによって、該小径嵌合部の該嵌合片を該大径嵌合部の該嵌合片よりも先端側に突出した位置から、該大径嵌合部の該収容空間内に没入して該大径嵌合部の該嵌合片よりも後退した位置に移動可能になっていることを特徴とするプラスドライバー。
【請求項２】
請求項１に記載のプラスドライバーにおいて、
該操作部には、小径嵌合部の嵌合片を大径嵌合部の嵌合片から突出した位置に維持するための、ロック状態またはロック解除状態に変位可能なロック機構が設けられ、
該ロック機構がロック状態にあるときには、該小径嵌合部の該嵌合片が該大径嵌合部の先端から突出した状態で維持され、
該ロック機構がロック解除状態にあるときには、該小径嵌合部の該軸部が軸方向後端側に摺動可能となり、該小径嵌合部の該嵌合片が該大径嵌合部の該収容空間に没入可能となっていることを特徴とするプラスドライバー。
【請求項３】
請求項１または２に記載のプラスドライバーにおいて、
該操作部の内部には、該操作部を回動させた際に該操作部と該小径嵌合部とが別々に回動するのを防止する回り止め機構が設けられていることを特徴とするプラスドライバー。
【発明の詳細な説明】
【技術分野】
【０００１】
本発明は、ネジやボルトを締緩するためのプラスドライバーに関する。
【背景技術】
【０００２】
従来より、ネジ頭に十字溝からなるネジ溝を有するネジやボルトを締緩する工具として、先端部に４枚の刃を有するプラスドライバーが広く使用されている。一般的には、ＪＩＳ  Ｂ  ４６３３にあるＨ型２番でほぼ作業可能であるが、弱電部品などネジ溝が小さい部品がある場合には、ネジ溝に刃を嵌入させることができないため、精密ネジ回しＪＣＩＳ  ９−７０（ＪＣＩＳ：日本写真機工業規格）にある０番を使用する必要がある。このため、最低でも２種類のプラスドライバーを携帯する必要がある。さらに、ネジ溝の大きさが異なる部品があった場合にプラスドライバーを持ち換えて作業しなければならず、手間がかかり作業効率が悪化する。
【０００３】
そこで、特許文献１に開示されるプラスドライバーが提案されている。この特許文献１のプラスドライバーでは、図８に示すように、先端部に４枚の刃を有する大径嵌合部４０１と、それよりも小径でかつ大径嵌合部４０１よりも先端に形成された小径嵌合部５０１とを備えている。また、この２つの嵌合部４０１、５０１は一体に形成されている。このように２つの大きさの嵌合部４０１、５０１を設けることによって、相対的にネジ溝の大きさが異なるネジの締緩を行う際にドライバーを交換する手間を省き、作業効率を向上させようというものである。
【先行技術文献】
【特許文献】
【０００４】
【特許文献１】実用新案登録第２５６６５７７号公報
【発明の概要】
【発明が解決しようとする課題】
【０００５】
しかし、この特許文献１のものによると、２つの嵌合部４０１、５０１が一体に形成されているので、相対的にネジ溝が小さいネジの場合には、ネジ溝に小径嵌合部５０１を嵌入させた際に広い当接面積を確保してネジを締緩させることができるが、ネジ溝が大きいネジの場合に問題が生じる。即ち、相対的に大きいネジ溝に嵌入させると、図８に示すように、大径嵌合部４０１の先端に小径嵌合部５０１が一体に形成されているため、小径嵌合部５０１はネジ溝に嵌合せず、大径嵌合部４０１は後端側の一部がネジ溝の嵌入口付近に当接するのみとなる。従って、ドライバーを回動させた際にドライバーの大径嵌合部４０１とネジ溝との当接面積が不十分であるため、両者の当接部分が滑ってドライバーが空回りし、その結果、ネジ溝を破損させるおそれがある。
【０００６】
本発明は、かかる点に鑑みてなされたものであり、その目的とするところは、ネジ溝の大きさが異なるネジに対応することができ、かつネジ溝を破損させることなく確実に締緩でき、作業効率を向上させるプラスドライバーを提供しようとすることにある。
【課題を解決するための手段】
【０００７】
上記の目的を達成するために、本発明は、プラスドライバーにおいて、小径嵌合部を大径嵌合部とは別体にして、その大径嵌合部の先端から出没できるようにスライド可能に支持することで、ネジ溝の大きさが異なるネジに対応でき、かつ確実に締緩できる工夫を設けた。
【０００８】
具体的には、第１の発明では、ネジ頭部に形成された十字溝からなるネジ溝に嵌合する嵌合部を先端側に有し、後端側に操作部を有するプラスドライバーにおいて、該嵌合部は、大径嵌合部と、該大径嵌合部とは別体にかつ同心状にかつ回転一体に設けられ、該大径嵌合部よりも小径の小径嵌合部とからなり、大径及び小径嵌合部はそれぞれ先端に平面視で十字形状をなす４枚の嵌合片を有しており、該大径嵌合部の該嵌合片及び該小径嵌合部の該嵌合片は、それぞれ該プラスドライバーの先端側に向かうほど軸中心からの距離が小さくなっている。該大径嵌合部は、該大径嵌合部と一体に形成された連結部によって操作部に連結されており、該大径嵌合部及び該連結部の中心部には、少なくとも先端が開口した収容空間が設けられ、該小径嵌合部には軸部が一体に形成されており、該大径嵌合部の該収容空間には、該小径嵌合部及び該軸部が摺動可能に配設されている。そして、該軸部を軸方向後端側に摺動させることによって、該小径嵌合部の該嵌合片を該大径嵌合部の該嵌合片よりも先端側に突出した位置から、該大径嵌合部の該収容空間内に没入して該大径嵌合部の該嵌合片よりも後退した位置に移動可能になっていることを特徴とする。
【０００９】
第２の発明では、第１の発明において、該操作部には、小径嵌合部の嵌合片を大径嵌合部の嵌合片から突出した位置に維持するための、ロック状態またはロック解除状態に変位可能なロック機構が設けられ、該ロック機構がロック状態にあるときには、該小径嵌合部の該嵌合片が該大径嵌合部の先端から突出した状態で維持され、該ロック機構がロック解除状態にあるときには、該小径嵌合部の該軸部が軸方向後端側に摺動可能となり、該小径嵌合部の該嵌合片が該大径嵌合部の該収容空間に没入可能となっていることを特徴とする。
【００１０】
第３の発明では、第１または第２の発明において、該操作部の内部には、該操作部を回動させた際に該操作部と該小径嵌合部とが別々に回動するのを防止する回り止め機構が設けられていることを特徴とする。
【発明の効果】
【００１１】
第１の発明では、プラスドライバーは、先端部にそれぞれ４枚の刃を有する大径嵌合部、小径嵌合部とを備えており、かつ小径嵌合部は大径嵌合部よりも先端側に突出することができるように設けられている。また、大径嵌合部及び小径嵌合部は、先端側にいくほど軸中心からの距離が小さくなっている。そして、小径嵌合部は大径嵌合部の内部に設けられた収容空間に収容できるようになっている。そのため、相対的にネジ溝の小さいネジを締緩するときには、小径嵌合部を大径嵌合部の先端から突出させた状態で嵌入させる一方、相対的にネジ溝の大きいネジを締緩するときには、小径嵌合部を大径嵌合部内部の収容空間に収容した状態で嵌入させることができる。このように小径嵌合部を大径嵌合部内部に収容した状態で大径ネジのネジ溝に嵌入させると、小径嵌合部は外部に突出していないため、大径嵌合部の４枚の嵌合片がそれぞれネジ溝の内壁に当接した状態となる。すなわち、当接面積を広く確保することができ、大径嵌合部の嵌合片がネジ溝にしっかりと嵌合した状態となる。よって、一本のプラスドライバーでネジ溝の大きさが異なるネジに対応することができる上に、強いトルクでプラスドライバーを回動させても、嵌合片とネジ溝との当接部が滑ってプラスドライバーが空回りすることがないため、ネジ溝を破損させることなく作業性に優れる。
【００１２】
第２の発明では、プラスドライバーの操作部にロック状態及びロック解除状態に変位可能なロック機構が設けられている。そして、ロック機構がロック状態にあるときには小径嵌合部の嵌合片が大径嵌合部の先端から突出した状態で維持される。そのため、小径嵌合部を用いてネジの締緩を行う際に、先端方向に向けて荷重がかかった場合においても、小径嵌合部が大径嵌合部の先端から突出した状態を維持することができ、作業の安定性を確保することができる。
【００１３】
第３の発明では、プラスドライバーの操作部内部に、操作部と小径嵌合部とが別々に回動するのを防止する回り止め機構が設けられている。すなわち、プラスドライバーを回動させた際に、操作部と小径嵌合部とが一緒に回動するようになっている。したがって、ネジ溝に小径嵌合部を嵌合させてプラスドライバーを回動させた際に、操作部のみが空回りすることがなく、確実にネジの締緩を行うことができる。また、操作部内部に回り止め機構が設けられていることで、嵌合部に設ける場合に比べ、容易に回り止め機構を設けることができる。
【図面の簡単な説明】
【００１４】
【図１】本発明の実施形態１に係るプラスドライバーのロック状態における正面図である。
【図２】図１のＡ−Ａ線断面図である。
【図３】本発明の実施形態１における回り止め機構を示す拡大斜視図である。
【図４】本発明の実施形態１において、小径嵌合部を嵌合させた際の作動状態を拡大して模式的に示す説明図である。
【図５】本発明の実施形態１に係るプラスドライバーのロック解除状態における図２相当図である。
【図６】本発明の実施形態１において、大径嵌合部を嵌合させた際の作動状態を拡大して模式的に示す説明図である。
【図７】本発明の実施形態２に係るプラスドライバーの断面概略図である。
【図８】従来例による作動状態を示す説明図である。
【発明を実施するための形態】
【００１５】
以下、本発明の実施形態を図面に基づいて詳細に説明する。尚、以下の好ましい実施形態の説明は、本質的に例示に過ぎない。
【００１６】
なお、以下の説明において、図１ないし図８における上方を「後端側」もしくは「上方」とし、下方を「先端側」もしくは「下方」とする。また、「ロック状態」とは、小径嵌合部の嵌合片が大径嵌合部先端から突出している状態をいい、「ロック解除状態」とは、小径嵌合部の嵌合片が大径嵌合部内に収容されて外部に突出していない状態をいう。
【００１７】
（実施形態１）
図１は、本発明の実施形態１に係るプラスドライバー１のロック状態における正面図を示す。上記プラスドライバー１は、後端側にネジを締緩する際に把持するグリップ部２１を構成する操作部２を備え、先端側に、後述するようにネジやボルトのネジ頭に形成された十字溝からなるネジ溝に嵌合させるための金属製の嵌合部３を備えている。
【００１８】
操作部２において、その軸方向中央よりも上方の側面には、操作部２内に連通する円形の開口部２２が形成されている。操作部２の内部には、図２に示すように後述するロック機構Ｒを構成するロックピン６が設けられている。ロックピン６を構成する一部分であって該ロックピン６を作動させるための解除ボタン６１が、操作部２の内部から開口部２２内に突出しており、その一部を外部から操作できるようになっている。
【００１９】
操作部２の後端側には、後述する小径嵌合部５を大径嵌合部４から突出させるためのノック部７が設けられている。
【００２０】
操作部２の先端側に備えられた上記嵌合部３は、大径嵌合部４と、この大径嵌合部４とは別体にかつ同心状に設けられ、大径嵌合部４よりも小径の小径嵌合部５とからなる。これらの大径嵌合部４及び小径嵌合部５は、それぞれ径の異なる円形軸状の金属部材の先端側に切欠溝４１、５１を設けることによって形成されている。切欠溝４１、５１は、大径嵌合部４及び小径嵌合部５の平面視で、軸中心を中心として上下左右対称な十字形状をなすように切削されている。また、切欠溝４１、５１は、後端側にいくほど表面からの深さが浅くかつ幅が狭くなっている。
【００２１】
大径嵌合部４の後端側は、該大径嵌合部４と一体の円筒状の金属部材からなる連結部８を介して操作部２に連結されている。
【００２２】
平面視で十字形状をなす大径嵌合部４及び小径嵌合部５は、それぞれ先端側に嵌合片４２、５２を備えている。嵌合片４２、５２は、上記切欠溝４１、５１が切欠き除去された残りの部分で構成されているもので、先端側にいくほど軸中心からの距離が小さくなっている。すなわち、図１に示すように、嵌合片４２、５２は、先端側軸中心方向へ向かって傾斜する傾斜面４２ａ、５２ａを有している。また、嵌合片４２、５２は、先端側にいくほど厚さが狭くなっている。
【００２３】
図２は、図１のＡ−Ａ線断面図を示す。図２に示すように、上記操作部２の内部には、先端側及び後端側が開口した略筒状の筒状空間２３が設けられている。筒状空間２３は、先端側（図２におけるＢ−Ｂ線よりも下方）が断面矩形状の角筒状に形成され、他の部分（Ｂ−Ｂ線の上方）は円筒状に形成されている。
【００２４】
筒状空間２３には、その周囲壁部である操作部２の内壁面２ａに沿うように形成された金属製の補助壁９が操作部２と一体的に配設されている。補助壁９には、後端側の一側面にロックピン６の配設を許容するための導入孔９１が貫通状に設けられている。
【００２５】
筒状空間２３の軸中心には、軸方向に延びる金属製のシャフト１０が配置されている。シャフト１０の先端には、フランジ状に拡大する第１当接部１１が備えられ、この第１当接部１１は、下面１１ａが後述する摺動軸３０の軸基部３１の上面３１ａに当接し、側面１１ｂが大径嵌合部４と一体の連結部８の連結部内壁８ａに当接する。シャフト１０の後端には、フランジ状に拡大する第２当接部１２が備えられ、この第２当接部１２は、上面１２ａが後述するガタつき防止ばね４０の下部に当接し、側面１２ｂが後述するノック部７の内壁７ｂに当接する。また、シャフト１０の第１当接部１１と第２当接部１２との間には、等間隔を空けて２ヶ所に突設部１３、１４が設けられている。突設部１３、１４は、側面１３ａ、１４ａが補助壁９の内壁９ａに当接するように設けられている。シャフト１０の後端側には、後述するロックピン６の係合爪６２と係合する係合片１５が半径方向に突出して設けられている。係合片１５は、シャフト１０と略直交する方向に延びる係合面１５ａを後端部に有している。係合片１５と上記ロックピン６とでロック機構Ｒが構成されている。
【００２６】
上記ノック部７は、先端側が開口して後端側が閉じた有底円筒状をなして形成されている。ノック部７は、先端側が操作部２の筒状空間２３内に収容されて、後端側が操作部２の後端よりも上方へ突出し、外部から先端側に向かって押し操作できるように操作部２の筒状空間２３内を軸方向へ摺動可能に配設されている。ノック部７の内部には、ノック部７のガタつきを防止するためのガタつき防止ばね４０が軸方向に伸縮可能に縮装されている。ガタつき防止ばね４０は、後端側がノック部７の内壁上面７ａに当接し、先端側がシャフト１０の第２当接部１２の上面１２ａに当接している。
【００２７】
上記ロックピン６は図２に示すように、断面略Ｌ字状をなして形成されている。ロックピン６の上端には、シャフト１０の係合片１５と係合するための鈎状の係合爪６２が操作部の中心に向かうように設けられている。係合爪６２は、その先端側にロックピン６の上下方向に延びる長辺部６３と略直交する方向に延びる係合面６２ａを有している。また、長辺部６３には、外側へ向けてばね受部６４が突設され、このばね受部６４にて係合爪６２が水平軸回りに揺動可能に補助壁９に軸支されている。ばね受部６４にはロックばね６５が配設され、ロックピン６はロックばね６５によって図２における反時計回り方向へ付勢されている。ロックピン６下端の水平方向に延びる短辺部６６は、一端が操作部２内から補助壁９の導入孔９１を通って操作部２の開口部２２内に突出して、解除ボタン６１を構成している。
【００２８】
上記大径嵌合部４は、先端側にネジ溝に嵌合するための嵌合片４２を備えている。大径嵌合部４の後端側には、大径嵌合部４と操作部２とを連結する連結部８が一体に形成されている。連結部８は、後端側が操作部２の内部に入り込んで大径嵌合部４と操作部２とを連結している。
【００２９】
大径嵌合部４及び連結部８の軸中心には、先端側及び後端側が開口し、小径嵌合部５及び後述する摺動軸３０とシャフト１０を収容するための収容空間７０が設けられている。収容空間７０は、後端側（図２におけるＣ−Ｃ線よりも上方）に位置する角筒状に形成された角筒収容部７１と、先端側（Ｃ−Ｃ線の下方）に位置する円筒状に形成された円筒収容部７２とで構成されている。角筒収容部７１の外縁７１ａは、シャフト１０の第１当接部１１及び後述する摺動軸３０の軸基部３１の外周縁に沿うように形成されている。円筒収容部７２の外縁７２ａは、後述する小径嵌合部５の摺動軸３０の外径に沿うように形成されている。
【００３０】
上記小径嵌合部５は、先端側にネジ溝に嵌合するための嵌合片５２を備えている。小径嵌合部５の後端側には、小径嵌合部５を摺動させる金属製の摺動軸３０が小径嵌合部５と一体に形成されている。摺動軸３０は、大径嵌合部４及び連結部８内に形成された収容空間７０に軸方向へ摺動可能に収容されている。摺動軸３０の後端には、フランジ状に拡大する軸基部３１が備えられ、この軸基部３１は、側面３１ｃが角筒収容部７１の外縁７１ａに沿うように形成されている。また、軸基部３１の上面３１ａは、シャフト１０の第１当接部１１の下面１１ａに当接するように配設されているため、シャフト１０の作動を小径嵌合部５に伝達することができる。図３に示すように、軸基部３１とシャフト１０の第１当接部１１と角筒収容部７１とで、ネジを締緩する際に操作部２と小径嵌合部５とが別々に回動することを防止する回り止め機構８０を構成している。なお、本実施形態では角筒収容部７１と軸基部３１及びシャフト１０の第１当接部１１とを断面四角形状にして回り止め機構８０を構成したが、この形状に限られるものではなく、他の形状としてもよい。
【００３１】
図２に示すように、軸基部３１の下面３１ｂと角筒収容部７１の下面７１ｃとの間には、小径嵌合部５の嵌合片５２が突出した状態を安定させるための軸ばね５０が軸方向へ伸縮可能に縮装されている。軸ばね５０は、後端側が軸基部３１の下面３１ｂに当接し、先端側が角筒収容部７１の下面７１ｃに当接する。軸ばね５０は、上記ノック部７の内部に設けられたガタつき防止ばね４０よりも強い伸長付勢力を有する。
【００３２】
そして、軸ばね５０の付勢力により上記摺動軸３０（軸部）を軸方向後端側に摺動させることによって、小径嵌合部５の嵌合片５２を大径嵌合部４の嵌合片４２よりも先端側に突出した位置（図２に示す位置）から、大径嵌合部４の収容空間７０内に没入して該大径嵌合部４の嵌合片４２よりも後退した位置に移動可能になっている。
【００３３】
次に、実施形態１における作動状態を、図２ないし図７に基づいて説明する。まず、相対的に小さいネジ溝Ｍａを有するネジＭを締緩する際の作動状態を図２ないし図４に基づいて説明する。
【００３４】
相対的に小さいネジ溝Ｍａを有するネジＭを締緩する際には、図４に示すように、小径嵌合部５を用いて作業を行う。すなわち、図２に示すように、小径嵌合部５の嵌合片５２を大径嵌合部４の先端から約１．５ｍｍ突出させた状態（ロック状態）にして締緩作業を行う。
【００３５】
このとき、小径嵌合部５に一体に形成された摺動軸３０の軸基部３１は連結部８内の角筒収容部７１に設けられた軸ばね５０の伸長力によって、上方へ付勢されている。また、シャフト１０も第１当接部１１が軸基部３１に当接しているため、軸ばね５０の伸長力によって上方へ付勢されている。
【００３６】
シャフト１０の後端側にはシャフト１０と略直交する方向に係合面１５ａを有する係合片１５が設けられている。
【００３７】
ロックピン６は、長辺部６３に突設されたばね受部６４に設けられたロックばね６５によって、図２における反時計回り方向へ付勢されている。ロックピン６の上端には、長辺部６３と略直交する方向に係合面６２ａを有する鉤状の係合爪６２が形成されている。そして、ロックピン６の係合爪６２の係合面６２ａと、シャフト１０の係合片１５の係合面１５ａとが互いに当接するようになっている。ロックピン６の係合爪６２は図２における反時計回り方向へ付勢されていて、シャフト１０の係合片１５は上方へ向けて付勢されているため、それぞれのばね力により、強固に係合した状態が維持される。すなわち、図２に示すように、小径嵌合部５の嵌合片５２が大径嵌合部４の先端から突出した状態においては、シャフト１０の係合片１５とロックピン６とで構成されたロック機構Ｒによって、突出状態が維持されるロック状態となっている。
【００３８】
かかるロック状態において、小径嵌合部５の嵌合片５２をネジ溝Ｍａに嵌合させると、図４に示す状態となる。この図４に示すように、小径嵌合部５の嵌合片５２はネジ溝Ｍａに入り込んで、嵌合片５２の傾斜面５２ａはネジ溝Ｍａの傾斜壁Ｍｂと当接する。また、小径嵌合部５の切欠溝５１の一部が、ネジ溝Ｍａの内壁Ｍｃに当接する。このように、小径嵌合部５の嵌合片５２及び切欠溝５１がそれぞれネジ溝Ｍａに当接し、特に嵌合片５２とネジ溝Ｍａとは、十分に広い当接面積を確保することができる。そのため、強いトルクで回動させても、小径嵌合部５とネジ溝Ｍａとの当接部分が滑って小径嵌合部５が空回りしてネジ溝Ｍａを損傷することがない。
【００３９】
また、図３に示すように、連結部８内に形成された角筒収容部７１は、断面四角形状をなしている。角筒収容部７１に収容されたシャフト１０の第一当接部及び摺動軸３０の軸基部３１は、それぞれ外周縁が角筒収容部７１の外縁７１ａに沿うように形成されている。そのため、操作部２を回動させると、シャフト１０と摺動軸３０とが一緒に回動する。すなわち、操作部２を回動させた際に、操作部２と小径嵌合部５とが別々に回動することがなく、作業性が安定する。
【００４０】
次に、相対的に大きいネジ溝Ｎａを有するネジＮを締緩する際の作動状態を図５ないし図６に基づいて説明する。
【００４１】
相対的に大きいネジ溝Ｎａを有するネジＮを締緩する際には、図６に示すように、大径嵌合部４を用いて作業を行う。そのためには、図５に示すように、小径嵌合部５の嵌合片５２を大径嵌合部４内の収容空間７０に収容させた状態（ロック解除状態）にする必要がある。そこで、ロック解除状態にする作動について、以下説明する。
【００４２】
ロックピン６の解除ボタン６１は、操作部２内の筒状空間２３から補助壁９の導入孔９１を通って、操作部２の開口部２２内に位置し、外部から操作できるようになっている。この解除ボタン６１を外部から押し込むと、ロックピン６はロックばね６５の付勢力に抗して図５における時計回り方向へ回動し、ロックピン６の係合爪６２とシャフト１０の係合片１５との係合状態が解除される。
【００４３】
シャフト１０及び小径嵌合部５と一体に形成された摺動軸３０は、軸ばね５０によって上方へ付勢されているため、上記係合状態が解除されるとともに、上方へ摺動する。一方、シャフト１０の第２当接部１２とノック部７の内壁上面７ａとの間にはガタつき防止ばね４０が設けられているが、相対的に軸ばね５０の方が強い付勢力を有しているため、シャフト１０及び摺動軸３０は、ガタつき防止ばね４０の付勢力に抗して上方へ摺動する。シャフト１０は、突設部１３、１４が補助壁９に当接しながら摺動するため、左右にぶれることなく摺動する。かかる摺動軸３０の摺動によって、摺動軸３０と一体に形成された小径嵌合部５も必然的に上方へ摺動する。このとき、軸ばね５０及びガタつき防止ばね４０の伸長力は、小径嵌合部５が完全に大径嵌合部４の収容空間７０に収容されるように設定されている。そのため、ロック解除状態においては、図５に示すように、小径嵌合部５は大径嵌合部４内に形成された収容空間７０に収容され、大径嵌合部４から先端側（外部）に突出していない没入状態となる。それとともに、ロックピン６はロックばね６５の付勢力によって、図５に二点鎖線で示す元の所定位置に戻る。
【００４４】
かかるロック解除状態において、大径嵌合部４の嵌合片４２をネジ溝Ｎａに嵌合させると、図６に示す状態となる。この図６に示すように、大径嵌合部４の嵌合片４２はネジ溝Ｎａに入り込んで、嵌合片４２の傾斜面４２ａはネジ溝Ｎａの傾斜壁Ｎｂと当接する。また、大径嵌合部４の切欠溝４１の一部が、ネジ溝Ｎａの内壁Ｎｃに当接する。このように、大径嵌合部４の嵌合片４２及び切欠溝４１がそれぞれネジ溝Ｎａに当接し、特に嵌合片４２とネジ溝Ｎａとは、十分に広い当接面積を確保することができる。そのため、強いトルクで回動させても、大径嵌合部４とネジ溝Ｎａとの当接部分が滑って大径嵌合部４が空回りしてネジ溝Ｎａを損傷することがない。
【００４５】
次に、再び図４に示す小径嵌合部５の嵌合片５２が大径嵌合部４の先端から突出した状態（ロック状態）にする際の作動状態について説明する。
【００４６】
小径嵌合部５が大径嵌合部４内に収容されたロック解除状態において、ロックピン６の解除ボタン６１を外部から押し込んで、ロックピン６をロックばね６５の付勢力に抗して図５における時計回り方向へ回動させる。この操作とともに、操作部２の後端に設けられたノック部７を下方へ押し込む。そうすると、シャフト１０の係合片１５は下方へ摺動する。シャフト１０の係合片１５がロックピン６の係合爪６２よりも下方まで摺動したときに、ロックピン６の押し込みを解除する。
【００４７】
そうすると、ロックピン６がロックばね６５の付勢力により図５における反時計回り方向へ回動するので、シャフト１０の係合片１５の係合面１５ａとロックピン６の係合爪６２の係合面６２ａとが再び係合し、図２に示すロック状態となる。
【００４８】
なお、ロックピン６の解除ボタン６１を外部から押し込むことなく、操作部２後端のノック部７を下方へ押し込むことのみで、図２に示すロック状態とするようにしてもよい。例えば図２等に示すように、シャフト１０の係合片１５において係合面１５ａよりも下側部を、下方に向かってシャフト１０中心側に向かうように傾斜する傾斜面とする一方、ロックピン６の係合爪６２において係合面６２ａよりも上側部を、上方に向かってシャフト１０中心から離れる半径方向外側に向かうように傾斜する傾斜面としておく。ノック部７を下方へ押し込むと、シャフト１０の係合片１５の上記傾斜面がロックピン６の係合爪６２の上記傾斜面を押して、ロックピン６をロックばね６５の付勢力に抗して図５で時計回り方向に回動させることができ、引き続きノック部７を押し込んで、両方の傾斜面同士の当接がなくなると、ロックピン６がロックばね６５の付勢力により図５の反時計回り方向へ回動し、上記と同様に、シャフト１０の係合片１５の係合面１５ａとロックピン６の係合爪６２の係合面６２ａとが再び係合する。
【００４９】
本実施形態では、このように、一本のドライバー１で異なる大きさからなるネジ溝Ｍａ、Ｎａに確実に嵌合させることができ、小径嵌合部５と大径嵌合部４との切替も簡単に行うことができる。そのため、複数のドライバーを携帯したり、作業中にドライバーを持ち替えたりする必要がなく、作業効率を向上させることができる。
【００５０】
なお、本実施形態では、ロックピン６の解除ボタン６１を押し込んだ状態でノック部７を下方に摺動させるようにしたが、解除ボタン６１が押込まれた状態で維持される構成とし、ノック部７を押込むだけの操作でロック状態にすることも可能である。例えば、図５のロック解除状態において、ロックピン６が二点鎖線で示す元の位置に戻らないように、すなわち実線で示す状態を維持できるように、係合片１５が係合爪６２に当接した状態を係合構造や磁石を利用して維持する等の構成にしてもよい。この係合片１５が係合爪６２に当接した状態を解除するには、例えばシャフト１０に突起を設け、ノック部７を下方に押し込んだときに、その突起がロックピン６の短辺部６６を押してロックピン６を図５で反時計回り方向に回動させるようにすればよい。
【００５１】
また、本実施形態では、ばねによるロック機構Ｒを設けたが、この構成に限られたものではなく、回転ロック機構やスライドロック機構を設けても良い。
【００５２】
（実施形態２）
図７は、本発明の実施形態２を示す断面図である。連結部８内の角筒収容部７１には、受け部材９０がボルト等により固定されている。受け部材９０と摺動軸３０の軸基部３１との間には、軸方向へ伸縮可能に押圧ばね９１が設けられている。このため、小径嵌合部５は押圧ばね９１の付勢力によって、常に下方へ押圧された状態（通常状態）となっている。
【００５３】
相対的に小さいネジ溝を有するネジを締緩する際には、かかる通常状態で作業を行う。相対的に大きいネジ溝を有するネジを締緩する際には、通常状態でプラスドライバー１０１をネジ溝に嵌合させると、小径嵌合部５の先端がネジ溝の中心部分に当接する。さらにプラスドライバー１０１を押し込むと、小径嵌合部５は押圧ばね９１の付勢力に抗して、上方へ摺動することとなる。押し込まれることよって、小径嵌合部５は大径嵌合部４の嵌合片４２の先端面４２ｂがネジ溝に当接するまで上方へ摺動することとなり、その結果、小径嵌合部５が大径嵌合部４内の収容空間７０に収容された状態となる。そのため、実施形態１と同様に、相対的に大きいネジ溝を有するネジを締緩する際にも広い当接面積を確保することができ、締緩作業の効率が向上する。
【産業上の利用可能性】
【００５４】
本発明は、ネジやボルトを締緩するためのプラスドライバーに好適である。
【符号の説明】
【００５５】
１、１０１  プラスドライバー
２    操作部
２２  開口部
２３  筒状空間
３    嵌合部
４    大径嵌合部
４１  切欠溝
４２  嵌合片
４２ａ  傾斜面
４２ｂ  先端面
５    小径嵌合部
５１  切欠溝
５２  嵌合片
５２ａ  傾斜面
Ｒ  ロック機構
６    ロックピン
６１  解除ボタン
６２  係合爪
６２ａ  係合面
６５  ロックばね
７    ノック部
７ａ  内壁上面
８  連結部
８ａ  内壁
９    補助壁
９１  導入孔
９ａ  内壁
１０  シャフト
１１  第１当接部
１１ａ  下面
１１ｂ  側面
１２  第２当接部
１２ａ  上面
１２ｂ  側面
１３、１４  突設部
１５  係合片
１５ａ  係合面
３０  摺動軸（軸部）
３１  軸基部
３１ａ  上面
３１ｂ  下面
４０  ガタつき防止ばね
５０  軸ばね
７０  収容空間
７１  角筒収容部
７１ａ  外縁
７１ｃ  下面
７２  円筒収容部
７２ａ  外縁
８０  回り止め機構
Ｍ  ネジ
Ｍａ  ネジ溝（十字溝）
Ｍｂ  傾斜壁
Ｍｃ  内壁
Ｎ  ネジ
Ｎａ  ネジ溝（十字溝）
Ｎｂ  傾斜壁
Ｎｃ  内壁
９０  受け部材
９１  押圧ばね
【図１】
2014014887.tif 000003
【図２】
2014014887.tif 000004
【図３】
2014014887.tif 000005
【図４】
2014014887.tif 000006
【図５】
2014014887.tif 000007
【図６】
2014014887.tif 000008
【図７】
2014014887.tif 000009
【図８】
2014014887.tif 000010